(57)【要約】【課題】簡易な構成であり製造コストを低減でき、また、従来よりも融雪，凍結防止等の効果を高めることのできる凍結防止剤散布機の提供の提供。【解決手段】  手押し式の車台４に、<i>粒状の凍結防止剤を収納するホッパ７の開口８の直下の位置に、スライド自在にしたシャッター１０を配置し、そのシャッター１０により上記開口８の開度を調整することで、所望の量の上記粒状の凍結防止剤を吐出して散布できるようにした粒状凍結防止剤散布部５と、<ii>液状の凍結防止剤を収納するタンク１７と、そのタンク１７内の凍結防止剤を吸い出す手動式ポンプ１８と、該ポンプ１８により送給される凍結防止剤を、車台４に横架固定された散布管２１に送給し、該散布管２１に所定の間隔で複数開設した吐出孔２０から吐出して散布できるようにした液状凍結防止剤散布部６とを設けた凍結防止剤散布機。【選択図】  図１
2009174155.tif 000002
【特許請求の範囲】
【請求項１】
手押し式の車台に、
<i>粒状の凍結防止剤を収納するホッパの開口の直下の位置に、スライド自在にしたシャッターを配置し、そのシャッターにより上記開口の開度を調整することで、所望の量の上記粒状の凍結防止剤を吐出して散布できるようにした粒状凍結防止剤散布部と、
<ii>液状の凍結防止剤を収納するタンクと、そのタンク内の凍結防止剤を吸い出す手動式ポンプと、該ポンプにより送給される凍結防止剤を、車台に横架固定された散布管に送給し、該散布管に所定の間隔で複数開設した吐出孔から吐出して散布できるようにした液状凍結防止剤散布部とを設けたことを特徴とする凍結防止剤散布機。
【請求項２】
上記ホッパ内に、攪拌部を設け、粒状凍結防止剤の目詰まりを防止するようにしてなることを特徴とする請求項１記載の凍結防止剤散布機。
【請求項３】
上記攪拌部が、ホッパ内の、上記開口の直上の位置に横架された回転軸に、螺旋状体を螺旋状に巻回してなることを特徴とする請求項２記載の凍結防止剤散布機。
【請求項４】
上記攪拌部が、ホッパ内の、上記開口の直上の位置に横架された回転軸に羽根板を固定してなる羽根車からなることを特徴とする請求項２記載の凍結防止剤散布機。
【請求項５】
上記攪拌部が、上記回転軸のホッパ外に突出させた部分に固定したスプロケットと車台の車輪の車軸に固定したスプロケットとの間にチェーンを掛け回し、走行時に回転軸が回転しホッパ内の粒状凍結防止剤の目詰まりを防ぐようにしてなることを特徴とする請求項３または４記載の凍結防止剤散布機。
【発明の詳細な説明】
【技術分野】
【０００１】
本発明は、凍結防止剤散布機に関する。
【背景技術】
【０００２】
従来より、路面の凍結防止，融雪のために凍結防止剤を散布する凍結防止剤散布機として、たとえば特許文献１に記載のものがある。
その凍結防止剤散布機は、自走車両に搭載され、凍結防止剤，塩，砂等の粒状の散布剤を送風装置たるブロワによって吹き飛ばし均一に効率よく散布するもので、上記自走車両のエンジンにより駆動する油圧モータにより上記ブロワを回転させるようになっている。
【０００３】
また、より簡易な構造の散布機としては、特許文献２の人力移動式散布機がある。これは、液状の防除剤や肥料等の散布を行うためのものであるが、農薬等の散布液を収容する散布液タンクと、そのタンク内の散布液を散布するためのポンプと散布ノズル、また、ポンプを駆動するためのエンジンを搭載している。
【特許文献１】実公平７−１５８５８号公報
【特許文献２】特開２００３−３３９２９６号公報
【発明の開示】
【発明が解決しようとする課題】
【０００４】
凍結防止剤の散布は、国や地方自治体など道路管理者が道路に散布する場合、あるいは、公民館や学校などの公共施設の玄関前や駐車場などの広いスペースに散布する場合には、主として大型の効果な専用機械が使用され、効率的な散布が行われる。
一方、小規模な公共施設、一般家屋、店舗、民間の病院などでは、一般的に手撒きによる散布が行われている。
そのような手撒きによる場合、面積あたりの散布量を均一にして定量散布を行うことが難しいため、凍結防止剤の無駄遣いになったり、その効果を十分に生かしきれないことにもなっていた。
【０００５】
散布される凍結防止剤としては、粒状凍結防止剤と液状凍結防止剤とがあり、公共道路等には、液状凍結防止剤が主に用いられている。これは、広い面積に一度に散布することが可能であり、薄い氷面を早く溶解したい場合に非常に効果的であり、また、降雪や気温低下が予想される路面に事前散布することで顕著な効果を得ることができる。
一方、粒状凍結防止剤は、散布した結晶の周囲から融解が始まるため、広い面積を一度に処理するには適しないが、融氷能力が高いものは厚い氷でもすぐに溶解し、氷の中に潜り込むので定着性がよく、また、薬剤濃度が高いので持続性が高く、散布回数を少なくできるものである。
したがって、気象条件や立地条件等に応じてこれらを散布することで効果的な融雪，凍結防止等の効果を得ることができる。たとえば、広範囲の厚い氷のアイスバーンを短時間で処理するには、液状凍結防止剤により速効性を確保し、粒状凍結防止剤により持続性および薬剤濃度向上による速効性のさらなる強化を図ることができる。
【０００６】
そこで、本発明は、上記特許文献１，２の散布機よりも簡易な構成にして製造コストを低減し、また、従来よりも融雪，凍結防止等の効果を高めることのできる凍結防止剤散布機の提供を目的とする。
【課題を解決するための手段】
【０００７】
請求項１記載の本発明は、手押し式の車台４，３１に、<i>粒状の凍結防止剤を収納するホッパ７，４０の開口８，４１の直下の位置に、スライド自在にしたシャッター１０，４３を配置し、そのシャッター１０，４３により上記開口８，４１の開度を調整することで、所望の量の上記粒状の凍結防止剤を吐出して散布できるようにした粒状凍結防止剤散布部５，３７と、<ii>液状の凍結防止剤を収納するタンク１７,５１と、そのタンク１７，５１内の凍結防止剤を吸い出す手動式ポンプ１８，５２と、該ポンプ１８，５２により送給される凍結防止剤を、車台４，３１に横架固定された散布管２１，５５に送給し、該散布管２１，５５に所定の間隔で複数開設した吐出孔２０，５４から吐出して散布できるようにした液状凍結防止剤散布部６，３８とを設けた凍結防止剤散布機である。
【０００８】
請求項２記載の本発明は、上記ホッパ７，４０内に、攪拌部１２，４４を設け、粒状凍結防止剤の目詰まりを防止するようにしてなる請求項１記載の凍結防止剤散布機である。
【０００９】
請求項３記載の本発明は、攪拌部１２が、ホッパ７内の、上記開口８の直上の位置に横架された回転軸１３に、螺旋状体１３’を螺旋状に巻回してなる請求項２記載の凍結防止剤散布機である。
【００１０】
請求項４記載の本発明は、攪拌部４４が、ホッパ４０内の、上記開口４１の直上の位置に横架された回転軸４５に羽根板４６を固定してなる羽根車４７からなる請求項２記載の凍結防止剤散布機である。
【００１１】
請求項５記載の本発明は、上記攪拌部１２，４４が、上記回転軸１３，４５のホッパ７，４０外に突出させた部分に固定したスプロケット１４，４８と車台４，３１の車輪１，３４の車軸に固定したスプロケット１５，４９との間にチェーン１６，５０を掛け回し、走行時に回転軸１３，４５が回転しホッパ７，４０内の粒状凍結防止剤の目詰まりを防ぐようにしてなる請求項３または４記載の凍結防止剤散布機である。
【発明の効果】
【００１２】
本発明凍結防止剤散布機は、簡易な構成であるから製造コストを低減することができ、また、気象条件，立地条件等に応じて液状凍結防止剤と粒状凍結防止剤とを同時に散布することもできるので、従来よりも融雪，凍結防止等の効果を高めることができる。
【発明を実施するための最良の形態】
【００１３】
手押し式の車台４，３１に、<i>粒状の凍結防止剤を収納するホッパ７，４０の開口８，４１の直下の位置に、スライド自在にしたシャッター１０，４３を配置し、そのシャッター１０，４３により上記開口８，４１の開度を調整することで、所望の量の上記粒状の凍結防止剤を吐出して散布できるようにした粒状凍結防止剤散布部５，３７と、<ii>液状の凍結防止剤を収納するタンク１７,５１と、そのタンク１７，５１内の凍結防止剤を吸い出す手動式ポンプ１８，５２と、該ポンプ１８，５２により送給される凍結防止剤を、車台４，３１に横架固定された散布管２１，５５に送給し、該散布管２１，５５に所定の間隔で複数開設した吐出孔２０，５４から吐出して散布できるようにした液状凍結防止剤散布部６，３８とを設けた凍結防止剤散布機。
【実施例１】
【００１４】
本実施例の凍結防止剤散布機Ａは、前方下部に直径約３６０ｍｍの一輪の車輪１を、後方下部に一対のソリ２，２を、後方上部に一対のハンドル３，３を備えた手押し式の車台４に、粒状凍結防止剤散布部５と液状凍結防止剤散布部６を設けたものである。
【００１５】
上記粒状凍結防止剤散布部５は、粒状の凍結防止剤を収納する容量約２５ｋｇのホッパ７の開口８（たとえば、幅約６０ｍｍ、長さ約４５０ｍｍ）の直下の位置に、両縁をレール９，９に嵌合支持させスライド自在にしたシャッター１０を配置し、そのシャッター１０により開口８の開度を調整することで、所望の量の凍結防止剤を吐出し散布する。
１１は、上記開口８から吐出される粒状の凍結防止剤を、上記車輪１をよけて、その後方に案内するために、そのシャッター１０の先端側下面に固定された案内板である
【００１６】
１２は、上記ホッパ７内の、上記開口８の直上の位置に配設された攪拌部である。この攪拌部１２は、ホッパ７内に横架された回転軸１３に、直径約１０〜１５ｍｍ程度の径のロープからなる螺旋状体１３’をピット５〜１０ｃｍ程度にして螺旋状に巻回固定してあるもので、その回転軸１３の、ホッパ７外に突出させた部分に取り付けたスプロケット１４と上記車輪１の車軸に取り付けたスプロケット１５との間にチェーン１６を掛け回してある。
したがって、ハンドル３，３を把持して人力で手押しして走行させるときに、車輪１の回転により、チェーン１６を解して攪拌部１２の回転軸１３が回転し、ホッパ７内の凍結防止剤を攪拌し、その目詰まりを防止する。
【００１７】
上記液状凍結防止剤散布部６は、液状の凍結防止剤を収納する容量約２０リットルのタンク１７と、そのタンク１７内の凍結防止剤を吸い出す手動式ポンプ１８と、吸い出した凍結防止剤を送給するパイプ１９と、そのパイプ１９より送給される凍結防止剤を吐出しこれを散布するための、車台４に対して該タンク１７の下方の位置に横架され、吐出孔２０（たとえば、直径３ｍｍ）を複数所定の間隔で（たとえば、ピッチ９ｃｍ）開設した散布管２１からなる。
上記タンク１７は、市販凍結防止剤を収納しているポリ缶をそのまま利用し、購入してきたものをその都度乗載固定することとしてもよい。
２２は、上記パイプ１９に設けられた散布量を調整するためのバルブコックである。
図４から明らかなとおり、上記タンク１７は内部の液状凍結防止剤をポンプ１８により最後まで吸い出せるよう、傾斜支持台２３により、車台４に対して斜めに載置し固定してある。
【００１８】
なお、上記ポンプ１８は、押圧釦２４を複数回押下することにより空気圧でタンク１７内の凍結防止剤を吸い出すことができる手動式のもので、電力等を必要としない。
【００１９】
上記の凍結防止剤散布機Ａは、粒状凍結防止剤散布部５のシャッター１０をスライドさせ、開口８の開度を適宜調整するとともに、液状凍結防止剤散布部６のポンプ１８の押圧釦２４を複数回押した上でバルブコック２２の開度を適宜調整して、ハンドル３，３を把持し手押し走行させることにより、適量の粒状凍結防止剤と液状凍結防止剤とを、同時に、しかも、均一に散布することができる。
【００２０】
粒状凍結防止剤散布部５の開口８の開度は、シャッター１０により、たとえば５ｍｍ〜３０ｍｍ程度とするのが好ましく、５ｍｍの場合一平方メートルあたり３０ｇ程度、２０ｍｍの場合一平方メートルあたり１５０ｇ程度の粒状凍結防止剤の散布が行える。
【００２１】
なお、上記散布機Ａの各部の寸法、タンク１７，ホッパ７の容量等は適宜変更することができる。大型のものは手押し式でなく自動車で牽引する方式のものとしてもよい。
【００２２】
この凍結防止剤散布機Ａは、気象条件，立地条件等に応じて、速効性が期待できる液状凍結防止剤と、効果の長時間の持続が期待できる粒状の凍結防止剤とを、同時に散布しあるいはいずれか一方を適宜散布することができる。また、その散布量も簡単に調整したうえで、均一な散布をすることができる。
特に、両者を同時に散布することは、凍結防止、融雪、滑り止め等に効果的である。
降雪前に散布すれば融雪効果を、除雪後に散布すれば高い凍結防止効果を期待できる。
また、積雪深が５ｃｍ程度であれば、除雪をすることなく、散布が行えるので便利である。
【００２３】
本散布機Ａは、電力や燃料が不要で、人力で簡単に散布作業を行うことができる。
【００２４】
このように、本散布機Ａは、従来の電力や燃料を要する散布機と異なり、簡単な構成で低コストで製造できる。
また、手撒きの場合と異なり、均一な散布が簡単に行える。したがって、凍結防止剤を無駄に散布してしまうことがないので、コスト削減につながる。
【００２５】
また、この散布機Aは、小規模農業や家庭菜園での石灰，固体肥料，液体肥料等の散布や砂埃防止剤の散布など多目的に利用できるものである。
【実施例２】
【００２６】
本実施例の凍結防止剤散布機Ｂは、車台が２輪の前車輪および２輪の後車輪を備えたものである点、上記実施例１のものと相違する。
具体的には、その車台３１は、前方下部の前車輪支持部３２に車軸３３を取り付け、その両端に直径３６０ｍｍの２輪の前車輪３４，３４を軸支するとともに、後方の左右下部に取り付けた一対の後車輪支持部３５，３５にそれぞれ直径２００ｍｍの後車輪３６，３６を軸支した、手押し式のものである。
３７はその車台３１の前部に設けた粒状凍結防止剤散布部、３８は車台３１の後部に設けた液状凍結防止剤散布部である。
３９は、車台３１の後部に取り付けられた手押しハンドルである。
【００２７】
上記粒状凍結防止剤散布部３７は、ホッパ４０の開口４１の直下の位置に、両縁をレール４２に嵌合支持させスライド自在にしたシャッター４３を配置し、これにより、上記開口４１からの粒状凍結防止剤の吐出量を調整可能としている。
４４は、上記ホッパ４０内の、上記開口４１の直上の位置に配設された攪拌部である。これは、ホッパ４０内に横架された回転軸４５に、６枚の羽根板４６（たとえば、約５５ｍｍ×約４５０ｍｍ  ）を固定した羽根車４７で、回転軸４５の、ホッパ４０外に突出した部分に固定したスプロケット４８と車軸３３に固定したスプロケット４９との間にチェーン５０を掛け回したものである。
【００２８】
なお、上記羽根車４７の羽根板４６の数は適宜増減することができ、たとえば、４〜８枚とすることができる。
また、上記シャッター４３の下面先端側に実施例１と同様に案内板を固定し、粒状凍結防止剤を適宜案内するようにするのも好ましい。
その他、上記散布機Ａの各部の寸法，形状は適宜変更することができ、たとえば、ホッパ４０の開口４１と、前車輪３４，３４の車軸３３とがより離隔するように位置関係を変更することで、車軸への粒状凍結防止剤の付着を防止することができる。
【００２９】
上記液状凍結防止剤散布部３８は、液状の凍結防止剤を収納するタンク５１と、その内部の凍結防止剤を吸い出す手動式ポンプ５２と、吸い出された凍結防止剤を送給するパイプ５３と、車台３１の後車輪支持部３５，３５間に横架され、吐出孔５４（たとえば、直径約３ｍｍ）を複数所定の間隔で（たとえば、ピッチ約９ｃｍ）開設した散布管５５とからなる。５６は、上記パイプ５３に設けられた、吐出量を調整するためのバルブコックである。
【００３０】
この凍結防止剤散布機Ｂも、簡易な構成であるから製造コストを低減することができ、また、気象条件，立地条件等に応じて液状凍結防止剤と粒状凍結防止剤とを同時に散布することもできるので、従来よりも融雪，凍結防止等の効果を高めることができる。
【図面の簡単な説明】
【００３１】
【図１】本発明の実施例１に係る凍結防止剤散布機の側面図である。
【図２】上記散布機の粒状凍結防止剤用タンクを拡大して示す要部拡大縦断面図である。
【図３】上記散布機の正面図である。
【図４】上記散布機の背面図である。
【図５】本発明の実施例２に係る凍結防止剤散布機の一部縦断側面図である。
【図６】上記散布機の一部縦断正面図である。
【図７】上記散布機の背面図である。
【符号の説明】
【００３２】
Ａ，Ｂ 凍結防止剤散布機
４，３１ 車台
５，３７ 粒状凍結防止剤散布部
６，３８ 液状凍結防止剤散布部
７，４０ ホッパ
８，４１ 開口
９，４２ レール
１０，４３ シャッター
１２，４４ 攪拌部
１３，４５ 回転軸
１３’  螺旋状体
１４，４８ スプロケット
１５，４９ スプロケット
１６，５０ チェーン
１７，５１ タンク
１８，５２ ポンプ
２０，５４ 吐出孔
２１，５５ 散布缶
【図１】
2009174155.tif 000003
【図２】
2009174155.tif 000004
【図３】
2009174155.tif 000005
【図４】
2009174155.tif 000006
【図５】
2009174155.tif 000007
【図６】
2009174155.tif 000008
【図７】
2009174155.tif 000009